(57)【要約】      （修正有）【課題】インターネットメールシステムにおいて、電子メール経由での無差別攻撃、未承諾電子メール送信者による悪質または危険な電子メールの送信を制御する。【解決手段】電子メールサーバ間の電子メール送受信を当システムにより制御を行い、通信可能な電子メールサーバを制限し、正規のインターネットドメイン以外の電子メールを拒否する仕組みを実現する。また、加入者のポリシー設定により、加入者以外からの電子メールの受付を拒否も可能となり、非加入者電子メールサーバより直接加入者電子メールサーバへ電子メールを送信が不可能なため、より安全な電子メールサーバ間通信を実現する。【選択図】図１
2010200285.tif 000002
【特許請求の範囲】
【請求項１】
不特定多数との通信をしている電子メールサーバ間通信の通信信頼領域を設ける。
【請求項２】
電子メールサーバ間の通信を不特定多数同士の電子メールサーバ間通信を制御し、電子メールサーバ間を中継する中継システム、インターネットメールルーティングサービス（以下、ＩＭＲＳ）を提供する。
【請求項３】
システムへ接続は、エンドユーザーのシステム構成に柔軟に対応可能とするため、専用アプリケーション、専用暗号化ソフト、電子メールルーティング専用機器またはＴＣＰ／ＩＰ（以下、ＩＰアドレス）等を利用して、ＩＭＲＳへの接続を可能にする。
【請求項４】
コンピューターウィルスによる電子メール送受信の疑いがある場合、インターネット上で選別プログラムを利用して、直ちに該当電子メールアドレスからの電子メールを破棄または保留し、加入者または未加入者への電子メール配達を停止。
【請求項５】
未承諾電子メール送信者による電子メール送受信の疑いがある場合、選別プログラムを利用して、直ちに該当電子メールアドレスからの電子メールを破棄または配信保留し、加入者または未加入者への電子メール配達を停止。
【請求項６】
加入者は、インターネットドメインの配信に利用する電子メール機器のＩＰアドレスを登録することで、異なるＩＰアドレスから該当インターネットドメインを利用した電子メール送信が発生した場合、システム判断より直ちに配信された電子メールを破棄または保留し、不正電子メールとして判断する。
【請求項７】
加入者は、コントロールパネルを利用し、送受信する電子メールの制御内容を利用用途に応じて設定可能。
【請求項８】
既存ソフトウェアまたは専用ソフトウェアを利用して、世界各国のメールサーバから送信された電子メールに対して、「迷惑メール・未承諾メール」（以下、スパムメール）をデーターベース化し、加入者がコントロールパネルで設定したポリシーに基づいて電子メールを選別してＩＭＲＳに登録されている電子メールサーバへ電子メールを配信する。
【請求項９】
ＩＭＲＳ加入システム以外の電子メールサーバからの電子の送受信に対して許可設定をしている場合は、件名または本文等に識別子を付加し、受信者は未承諾メールまたは不正メールであることを明示。
【請求項１０】
各メールサーバまたは各インターネットドメインより送受信されたメールの件数、容量（電子メールサイズ）、あて先等の電子メールにかかわるすべてのデータを記録し、要望に応じて、電子メールサーバ管理者、インターネットドメイン管理者、またはこれらのオーナーが指定する者に開示する。
【発明の詳細な説明】
【技術分野】
【０００１】本発明は、電子メールサーバ間の電子メール送受信を制御・管理を行うシステムである。
【背景技術】
【０００２】（１）従来の電子メール構成では、世界中に存在する電子メールサーバ間で不特定多数との通信を行っていた。
通信する相手も選べず、すべての電子メールサーバからの接続を許可し、不特定多数の送り先から電子メール受信制御が困難であった。
（２）ウィルス感染による重要情報または電子メールアドレスの散乱を防止方法がユーザーによるウィルス対策（個別に導入またはＡＳＰ）以外が存在しないため、ユーザーサイドではない電子メールを中継する本システム上で対策を行う。
【発明の開示】
【発明が解決しようとする課題】
【０００３】（１）現状、世界中全ての電子メールサーバからの接続可能にしなければならなく、直接電子メールサーバ間の電子メール証受信をさせないことにより、送信者が特定不可能な電子メールサーバによる電子メールの受信を制御する。
（２）信頼可能な電子メールサーバの判別が困難であったため、未承諾電子メールのターゲットとなり、不正接続による踏み台等の被害または不正中継行為が頻発していた。
（３）ウィルス感染に伴う、世界中の不特定多数への電子メールによる被害・情報漏洩の基となる電子メールの制御が不可欠である。
（４）不特定多数の電子メールサーバによる電子メールの不正リレー、取得・盗聴の対処。
【課題を解決するための手段】
【０００４】（１）直接電子メールサーバ間の電子メール送受信をさせず、インターネット電子メールシステムを中継するシステムを設け、加入制にする。
システム非加入者による加入者への電子メール送受信を、インターネットドメイン保有者または管理者による設定により、アプリケーション層およびネットワーク層上による制御を行う。
（２）コンピューターウィルスによる電子メール送信が疑わしい電子メールについて、アプリケーションによる判断により、該当電子メールの破棄または保留し、送信者、送信元インターネットドメイン保有者または管理者へ利用者の感染疑いを通知または報告を行い、インターネット上で電子メールによるウィルス感染拡大をユーザーによる対策が不要な本システム上で抑制可能にする。
【発明の効果】
【０００５】従前の構成は、世界中のどこからでも電子メールサーバへの接続が可能であったが、当システムの利用により、電子メールサーバへの不正アクセスの防止、未承諾電子メールの送受信制御、なりすまし電子メールの送信、コンピューターウィルスによる情報漏えい防止、電子メールの不正利用防止または電子メール不正取得制御が可能となる。
【発明を実施するための最良の形態】
【０００６】（１）世界各国に拠点を設けている有識企業により、各地でＩＭＲＳを構築、運用。
（２）複数の有識企業の連合により、複数のＩＭＲＳを構築し、情報を連携して運用。
（３）外部ネットワーク（インターネット）
【図面の簡単な説明】
【０００７】
【図１】全体接続、電子メール処理の概要を示した図面。
【図２】加入者による電子メール送信の処理フローを示した図面。
【図３】外部より加入者へ電子メールを送信した際の電子メールフローを示した図面。
【符号の説明】［図１の符号説明］
▲１▼  インターネットゾーン
▲２▼  ＩＭＲＳサービスの範囲
▲３▼  ＩＭＲＳ加入者（インターネットサービスプロバイダまたは企業）を示す範囲
▲４▼  ＩＭＲＳサービスシステム群
▲５▼  加入者とＩＭＲＳサービスシステム群をインターネット網経由で接続された例
▲６▼  加入者とＩＭＲＳサービスシステム群と専用線またはＶＰＮ接続網等で接続された例
▲７▼  非加入者企業、ＩＳＰやスパム送信者等をＩＭＲＳから見た位置
▲８▼  インターネット網経由で接続する加入者用のＩＭＲＳ外部接続システム
▲９▼  専用線またはＶＰＮ接続網等経由で接続する加入者用のＩＭＲＳ接続システム
▲１０▼  非加入者メールサーバ等と接続する外部接続システム
▲１１▼  システム管理やＩＭＲＳ付随サービス提供システム群
▲１２▼  接続を示す線
▲１３▼  分散ＩＭＲＳ  （複数のＩＭＲＳを各地に分散）
▲１４▼  各地に分散されたＩＭＲＳの専用接続ネットワーク
【図１】
2010200285.tif 000003
【図２】
2010200285.tif 000004
【図３】
2010200285.tif 000005